(57)【要約】【課題】従来のペットボトル用キャップホルダーは、キャップを固定し紛失を目的にするものであったが、本発明はキャップを固定することにより紛失防止と同時にボトル自体を持ち運べる取っ手が設けてあるという利点がある。【解決手段】キャップの固定と持ち運びに利用する取っ手は一体的構造をなしているためキャップに本発明である器具を装着後、キャップを回すと全部材は一体的に回転する。また、ボトルの首部に装着するリング状の回転部材は、両面テープ貼合されているためボトルの首にフックし、吊り下げても抜け落ちることなく、取っ手の吊り下げ部材の先端に設けられている挿入具も鈎状になっているためボトル自体の重さで結合部材の挿入口から抜け落ちることもない。また、シート状になっているため、大量生産も可能である。【選択図】図３
2006264779.tif 000002
【特許請求の範囲】
【請求項１】
本発明は、形状の全部がシート状であり、ペットボトルのキャップの取り外し時におけるキャップの固定を可能にする花状リングの固定部材に連繋されている連繋部材と、ペットボトル自体を手等で吊るし自由に持ち運べる輪状の取っ手である吊り下げ部材とが、それぞれボトルの首部に装着したリング状の回転部材に連繋されていてキャップを回すことにり、全部材が一体的回転を成す構造になっていて、キャップの固定には花状リングの内側に空けてある１２角形の穴をキャップに装着することによりキャップの外側の凸凹とが摩擦により固定されて、ボトルの首に装着するリング状の回転部材には二つの結合部材が連繋されてあって、その一つには取っ手である吊り下げ部材が連繋されていて、その二つの結合部材を上下にずらしてボトルの首部を絞めるように両面テープで貼合してあり、取っ手の先端には鈎状の挿入具が付いていてその挿入具をリング状の回転部材と取っ手の吊り下げ部材とがれぞそれ連繋している貼合した結合部材に設けた挿入口に挿入することにより取っ手である吊り下げ部材が輪状の形状となる、ペットボトル用キャップ取り外し時固定ボトル吊るし具。
【請求項２】
花状リングの固定部材とボトルの首部に装着したリング状の回転部材とを連繋する連繋部材に挿入口を設けて、ペットボトルのキャップを開けた状態にして、吊り下げ部材である取っ手の先端の鈎状の挿入具を貼合した結合部材の挿入口からはずし、連繋部材に設けた挿入口に吊り下げ部材である取っ手の先端の鈎状の挿入具を挿入することにより吊り下げ部材はアーチ状の形状を成す、アーチ状の吊り下げ部材からペットボトルの呑み口に向かい垂線を下ろす始点部にストローを挿入することができる弁付の挿入口を設けて、その挿入口に挿入されたストローが固定され、アーチ状に成った吊り下げ部材がクッションの役目を果たすアーチ状ストロー固定具を設けた、請求項１の記載のペットボトル用キャップ取り外し時固定ボトル吊るし具。
【請求項３】
キャップの固定部材の花状リングの花状の先端にストローの紛失を防止する固定具を設けて、そして、防止固定具にストローが挿入することができる挿入口を設け、ストローの無使用時でのキャップを閉じた状態でストローを固定しする器具であって、この、ストロー紛失防止固定具を設けた、請求項１の記載のペットボトル用キャップ取り外し時固定ボトル吊るし具。
【発明の詳細な説明】
【技術分野】
【０００１】  ペットボトルのキャップの固定とボトル自体を手等で吊るし持ち運びに関する。
【背景技術】
【０００２】  従来のペットボトルのキャップの固定に関するもは、キャップの紛失等を防ぐためポリエチレン等の素材でできた薄型の長方形もの両端側にボトルのキャップを装着する穴と、ボトルの首に装着する事に部分よりキャップ固定する穴が開いている器具がある。（特許文献１参照）また、その器具の先端をキャップの頭部に固定した器具（特許文献２参照）、（特許文献３参照）、（特許文献４参照）もある。【０００３】
【特許文献１】  特開２００２−３３７９２１号広報
【特許文献２】  特開２００２−１４９１７１号広報
【特許文献３】  特開２００３−１１２７６３号広報
【特許分献４】
特開２００４−２４４０７０号広報
【発明の開示】
【発明が解決しようとする課題】
【０００４】  以上、従来のペットボトルのキャップの保持具は、キャップの紛失を防止することはできるが、同時にボトル自体を手等で吊るしながら保持及び持ち運びすることができないのが従来の器具であった。【０００５】  本発明は、従来の器具のようにペットボトルのキャップを保持するだけという問題点を解決するものであり、ボトルの首部に装着したリング状の回転部材には花状リングである固定部材を連繋する連繋部材と取っ手である吊り下げ部材とが連繋されていてキャップの紛失防止はもちろんのことボトル自体の持ち運びをボトル本体を持つのではなく、吊り下げ部材である取っ手を持つことにより容易に目的が可能となる。【０００６】  また、全部材はポリエステル等の丈夫なシート状の素材でできているため装着性が非常に優れているといえる。【０００７】  また、ストローが使用できる器具を設けることができるという多面性ももちあわせている。
【課題を解決するための手段】
【０００８】  本発明は、ペットボトルのキャップの取り外し時におけるキャップの固定とボトル自体を手等での持ち運び性というものを一体的構造なした器具で同時に可能にすることを目的とるものであり、その手段としてはまず、その器具全体がシート状になっているため、部材の素材が曲げ等を可能し、取り扱い易い点でも優れている。【０００９】  次に、解決手段を段階的に説明する。第一に、キャップを固定することに着目すると固定部材である花状リングの内側に１２角形の挿入口を設けそして、キャップに花状リングを挿入すると接着したその口径とキャップの外側の凸凹とが摩擦をおこしキャップと花状リングの固定を可能した構造をなしている。【００１０】  第二に、ボトルの首部に装着するリング状の回転部材には二つの結合部材が連繋されていて、その二つの結合部材を上下にずらしてボトルの首部を絞めるように両面テープで貼合する。このことより、リング状の回転部材がすり鉢状となりボトルの首部のあごの部分にフックして、ボトル自体を吊るしても抜け落ちない構造になっている。また、回転動作もスムーズに行える。【００１１】  第三に、取っ手である吊り下げ部材であるがこれは、取っ手の先端には鈎状の挿入具が付いていて貼合した結合部材に設けた挿入口に挿入する。このとき取っ手は輪状になり手等での持ち運びが非常にし易く、取っ手の先端の挿入具が鈎状になっていため、ボトルの内容物の重さでそ挿入口から先端の挿入具が抜け落ちるようなことはない。【００１２】  第４に、花状リングの固定部材とリング状の回転部材とは互いに連繋部材で連繋されていて、その連繋部材に挿入口を設け取っ手である吊り下げ部材の先端の鈎状の挿入具を連繋部材に設けた挿入口に挿入すると取っ手である吊り下げ部材はアーチ状の形状をなす、ボトルの呑み口に対してアーチから垂線を下ろす始点にストローを挿入することができる弁付の挿入口を設けストローを挿入するとストローは固定され、アーチ状になった取っ手である吊り下げ部材はストロー全体のクッションの役目を果たす構造になっている。【００１３】  第５に、花状リングの固定部材の花状の先端にストローの紛失防止固定具を設ける。紛失防止固定具にはストローの挿入口を設けてストローの無使用時のストローの固定と、紛失を防止している。
【発明の効果】
【００１４】  本発明は、上記の目的を達成するためにペットボトルのキャップの紛失防止や清潔性とボトル自体の持ち運び性はもちろんのこと実用性等にも優れていると言える。【００１５】  構造的には、丈夫でシート状のポリエステル等を使用するので非常に扱い易い部材構造になっている。【００１６】  ペットボトルのキャップの固定を可能にしている固定部材である花状リングに連繋しいる連繋部材と、吊り下げ部材である取っ手とがボトルの首部に装着するリング状の回転部材にそれぞれ連繋し全部材か一体的構造を成していて、キャップの回転もボトルの首部に装着した回転部材が回転することにより全部材も同時に回転する構造になっている。【００１７】  次に、ボトルの内容物をボトルの呑み口を直接口にあてて飲むというのがペットボトルの飲み方で、しかし、女性の中には直接口にあてて飲むというのが恥ずかしい人や、老人や子供などは、直接口にあてて飲むとボトルの内容物を加齢などのためにこぼしてしまう可能性がある人のために、ストローを吊り下げ部材の取っ手を連繋部材に挿入し、アーチ状になった取っ手の吊り下げ部材にストローの挿入口を設けてボトルの内容物を飲む際に、ストローの先端が口に当たる衝撃をアーチ状の取っ手である吊り下げ部材によってクッションの役割で衝撃を緩和することもできる。【００１８】  さらに、ボトルの内容物が飲みかけの場合当然キャップは閉じた状態になっているためストローの置き場に困る状態が生じる、そこで、固定部材である花状リングの花状の先端にストロー紛失防止固定具を設けることにより、ストローを固定させ紛失の防止を図っている。
【発明を実施するための最良の形態】
【００１９】  以下、本発明の実施形態を図１〜図１１に基いて説明する。【００２０】  図１〜図４までは請求項１の実施形態を示す、図１はシート状の本発明の平面図である。【００２１】  図２で示すように図１で示す花状リングの挿入口１２角形部２−２を図３のキャップＣに挿入すし、そのことにより、キャップＣの外側の凸凹部が花状リングの挿入口２−２の口径と摩擦により固定される。図１の２−１は、花状である。【００２２】  図１の花状リング２とリング状の回転部材１を連繋しているのが連繋部材３である。【００２３】  次に、ボトルの首部に装着するリング状の回転部材１については、図１に示す、１−１は切離される部分、リング状の回転部材１には、二つの結合部材４及び５が連繋されていてそれぞれには両面テープ４ａ−１、５ａ−１が設けてられており、図２でボトルの首部を絞めるように結合部材４及び５を上下にして両面テープ４ａ−１、５ａ−１で貼合し、このとき、リング状の回転部材はすり鉢状にになり、また、図１で結合部材５には取っ手である吊り下げ部材７が連繋されている。【００２３】  取っ手である吊り下げ部材７は図２のようにして先端に設けた挿入具７−１を図３で貼合した結合部材に設けた挿入口６に挿入具７−１を挿入する。装入後取っ手は輪状となり、また、図３は全部材のボトルＰへの装着後の完成図となる。【００２４】  図３において、キャップＣを開くＲ、閉めるＬの動作をすることにより全部材が一体的に回転する構造になっている。図４は、キャップＣを開きボトルＰの内容物を飲む状態を示す。【００２５】  図５、図６、図７、図８は、請求項２の実施形態を示す、図８において連繋部材３に設けた挿入口３ａ−１に取っ手である吊り下げ部材７の先端に設けた挿入具７−１を挿入させると、図５のように取っ手である吊り下げ部材７はアーチ状となり、ペットボトルの呑み口Ｍに向かい垂線わを下ろす始点部にストローＳを挿入することができる弁付図７の７ａ−２の挿入口７ａ−１を設け、挿入されることによってストローＳは固定され、アーチ状となった取っ手である吊り下げ部材はストローＳ全体のクッションの役目を果たす。【００２７】  図９、図１０は、請求項３の実施形態を示す、図１０で、キャップの固定部材の花状リング２の先端にストローＳの紛失を防止する固定具２−２を設け、その紛失防止固定具２−２にストローＳの挿入口２ａ−２を設ける。
図９は、無使用時のストローＳの紛失防止の固定具２−２への設置状態を示す。【００２８】  図１１は、ボトルＰを手Ｈで、取っ手である吊り下げ部材６を通して指で吊るしている状態を示している。リング状の回転部材１はボトルＰの首部ＮにフックしてボトルＰ自体が抜け落ちることはなく、取っ手である吊り下げ部材７の先端に設けた鈎状になった挿入具７−１がボトルＰ自体の重みで結合部材に設けた挿入口６から抜け落ちない構造にそれぞそれなっている。
【図面の簡単な説明】
【００２９】
【図１】本発明である請求項１の平面図である。
【図２】同請求項１の展開状態を示す斜視図である。
【図３】同請求項１の装着完了後の斜視図である。
【図４】同請求項１の使用前の斜視図である。
【図５】同請求項２のストロー使用時の斜視図である。
【図６】同請求項２の詳細平面図である。
【図７】同請求項２の詳細斜視図である。
【図８】同請求項２の詳細斜視図である。
【図９】同請求項３のストロー装着時の斜視図である。
【図１０】同請求項３の平面図である。
【図１１】同の手で吊り下げ時での斜視図である。
【符号の説明】
【００３０】１        リング状の回転部材
１−１    切り込み
２        花状リングの固定部材
２−１    花状
２−２    ストローの防止固定具
２ａ−２  ストロー挿入口
３        連繋部材
３ａ−１  挿入口
４        結合部材
４−１    挿入口
４ａ−１  両面テープ
５        結合部材
５−１    挿入口
５ａ−１  両面テープ
６        結合部材の挿入口
７        取っ手である吊り下げ部材
７−１    鈎状の挿入口具
７ａ−１  ストローの挿入口
７ａ−２  弁
Ｃ        キャップ
Ｈ        手
Ｌ        キャップの回転方向  左回り
Ｍ        ボトルの呑み口
Ｎ        ボトルの首部
Ｐ        ボトル
Ｒ        キャップの回転方向  右回り
【図１】
2006264779.tif 000003
【図２】
2006264779.tif 000004
【図３】
2006264779.tif 000005
【図４】
2006264779.tif 000006
【図５】
2006264779.tif 000007
【図６】
2006264779.tif 000008
【図７】
2006264779.tif 000009
【図８】
2006264779.tif 000010
【図９】
2006264779.tif 000011
【図１０】
2006264779.tif 000012
【図１１】
2006264779.tif 000013